(57)【要約】移動可能なＩＶポールは、車輪および囲いに固定された緩衝器を実質的に覆う囲いを備える車輪のついた基部を有する。ポールは、上記基部に連結され、静脈内流体レザバを保持するための複数のフックまたは他の保持器が提供される。上記ポールは、第１のアームおよび第２のアームを備え得、そのアームは、上記基部から実質的に垂直に上に延び、各アームは、それぞれ下部テレスコープ管状部分、中央部テレスコープ管状部分および上部テレスコープ管状部分からなる。上記アームの低部は、上記基部に固定して連結され、上部は、互いに固定して相互接続され、上記第１のアームおよび第２のアームの中央部分は、可撓性ＩＶ管の経路を設定するためにその中に複数の経路設定チャネルを有する安定化棒によって固定して相互接続される。斜めに向いたハンドルが、上記ポールに連結され、上記ポールの少なくとも一部に沿って軸方向に移動可能である。
2007512927.tif 000002
【特許請求の範囲】
【請求項１】
ＩＶポールであって、以下：
３個以上の車輪のセットが、連結された、基部；
該基部に連結された下部および該基部から離れている上部を有する、ポール；
該ポールの上部に近接する少なくとも一つの静脈内流体レザバ保持器；ならびに、
該ポールの下部と上部との間で、該ポールに連結された、ハンドル；
を備える、ＩＶポール。
【請求項２】
前記ＩＶポールに取り付けられたソケットをさらに備える、請求項１に記載のＩＶポール。
【請求項３】
前記ソケットが、前記基部に取り付けられた、請求項２に記載のＩＶポール。
【請求項４】
前記ソケットが、前記ポールに取り付けられた、請求項２に記載のＩＶポール。
【請求項５】
前記ソケットが、複数のコンセントを備える、請求項２に記載のＩＶポール。
【請求項６】
前記ソケットが、６連のプラグ片を備える、請求項５に記載のＩＶポール。
【請求項７】
前記ソケットを電源装置に電気的に連結するための格納式電源コードをさらに備える、請求項２に記載のＩＶポール。
【請求項８】
前記格納式電源コードが、自己巻取り電源コードを備える、請求項２に記載のＩＶポール。
【請求項９】
前記基部が、前記車輪のセットを実質的に覆う囲いを備える、請求項１に記載のＩＶポール。
【請求項１０】
前記囲いの外周で、該囲いに固定された緩衝器をさらに備える、請求項９に記載のＩＶポール。
【請求項１１】
前記緩衝器が、前記囲いの実質的に周囲全体に沿って延びる、請求項１０に記載のＩＶポール。
【請求項１２】
前記車輪のセットが、６個の車輪を備える、請求項９に記載のＩＶポール。
【請求項１３】
前記基部の外周で、該基部に固定された緩衝器をさらに備える、請求項９に記載のＩＶポール。
【請求項１４】
前記緩衝器が、前記基部の実質的に周囲全体に沿って延びる、請求項１３に記載のＩＶポール。
【請求項１５】
ソケットおよび該ソケットを電源装置に電気的に連結するための格納式電源コードをさらに備える、請求項９に記載のＩＶポール。
【請求項１６】
前記格納式電源コードが、自己巻取り電源コードを備える、請求項１５に記載のＩＶポール。
【請求項１７】
前記ハンドルが、前記ポールの少なくとも一部に沿って軸方向に移動可能である、請求項１に記載のＩＶポール。
【請求項１８】
前記ハンドルが、前記ポールに対して斜めに向いたリングを備える、請求項１に記載のＩＶポール。
【請求項１９】
前記ハンドルが、前記ポールの少なくとも一部に沿って軸方向に移動可能である、請求項１８に記載のＩＶポール。
【請求項２０】
前記ハンドルが、前記リングに連結された蓄電ソケットをさらに備える、請求項１８に記載のＩＶポール。
【請求項２１】
前記ＩＶポールを牽引するための手段をさらに備える、請求項１に記載のＩＶポール。
【請求項２２】
前記ＩＶポールを牽引するための手段が、付属品を備え、該付属品は、前記基部に近接する該ポールに連結され、牽引する連結部を受容するための孔を有する、請求項２１に記載のＩＶポール。
【請求項２３】
カテーテルバッグを吊るすために、前記基部に近接する前記ポールに連結されたハンガーをさらに備える、請求項１に記載のＩＶポール。
【請求項２４】
請求項１に記載のＩＶポールであって、前記ポールに垂直位置に連結されたカテーテルバッグハンガーをさらに備え、カテーテルバッグが、該カテーテルバッグハンガーの上に吊るされ、カテーテルによって患者のカテーテル部位に連結される場合、該カテーテルバッグが、該カテーテル部位より下に配置される、ＩＶポール。
【請求項２５】
前記ポールが、前記基部から実質的に垂直に上に延びる第１のアームおよび第二のアームを備える、請求項１に記載のＩＶポール。
【請求項２６】
前記第１のアームの最上部が、固いＵ型のポール部分を介して第二のアームの最上部と相互に連結している、請求項２５に記載のＩＶポール。
【請求項２７】
前記第１のアームおよび第２のアームのそれぞれが、それぞれ複数のテレスコープ型管状部分を備える、請求項２５に記載のＩＶポール。
【請求項２８】
前記第１のアームおよび第２のアームのそれぞれが、前記基部に固定された下部、中央部、および上部を備える、請求項２５に記載のＩＶポール。
【請求項２９】
前記第１のアームの上部が、前記第２のアームの上部と相互に連結している、請求項２８に記載のＩＶポール。
【請求項３０】
前記第１のアームおよび第２のアームの中央部が、安定化棒を介して固定して相互に連結している、請求項２９に記載のＩＶポール。
【請求項３１】
前記安定化棒が、静脈内流体を運ぶのに使用される可撓性のある管を受容するような大きさにされた複数の経路設定チャネルを規定する、請求項３０に記載のＩＶポール。
【請求項３２】
ＩＶポールであって、以下：
少なくとも３個の車輪のセットが連結された基部であって、該車輪、および該基部の外周で、囲いに固定された緩衝器を実質的に覆う囲いを備える、基部；
該基部から実質的に垂直に上に延びる第１のアームおよび第２のアームを備えるポールであって、各アームは、それぞれ下部テレスコープ部分、中央部テレスコープ部分および上部テレスコープ部分を備え、該第１のアームおよび第２のアームのそれぞれの下部は、該基部に固定して連結されており、該第１のアームおよび第２のアームのそれぞれの上部は、互いに固定して相互に連結されており、該第１のアームおよび第２のアームのそれぞれの中央部は、可撓性のある管を受容するような大きさにされた複数の経路設定チャネルを有する安定化棒を介して、固定して相互に連結されている、ポール；
該ポールの最上部端部に近接して、該ポールに取り付けられた、少なくとも一つの静脈内流体レザバ保持器；ならびに、
該ポールに連結され、該ポールの少なくとも一部に沿って軸方向に移動可能であるハンドルであって、該ポールに対して斜めに向いたリングを備える、ハンドル；
を備える、ＩＶポール。
【発明の詳細な説明】
【技術分野】
【０００１】
（技術分野）
本発明は、一般にＩＶポールに関し、より詳細には、調節可能な複数の高さのハンドル、囲まれた車輪基部、および格納式電源コードのような特徴を備えるＩＶポールに関する。
【背景技術】
【０００２】
（背景）
長年、静脈内流体輸液を必要とする患者は、患者が歩いている間、静脈内流体が一つ以上の薬剤バッグから患者に流れる可撓性のある管の長さの範囲内で、ＩＶポールを患者と一緒に転がし得るように、移動可能な、車輪の付いたＩＶポールを使用することによって、このような輸液の間、移動性を保持し得る。しかし、初期の移動性を持ったＩＶポールは、多くの欠点を有していた。
【０００３】
例えば、以前の移動性を持ったＩＶポールは、一般的に、種々の高さの患者のために、患者によって上または下に容易に調節され得るハンドルを有していなかった。以前のハンドルはまた一般的に、水平に向いていたので、患者は、歩いている間にＩＶポールを移動させるのに十分な堅固さまたは安定性を伴なって、ＩＶポールを常に快適にまたは安全に握ることができなかった。
【０００４】
以前の移動性を持ったＩＶポールはまた、代表的に、露出した車輪を有していて、多くの患者が、このような以前のＩＶポールと一緒に歩く間に、そのような露出した車輪を偶然けったり、またつまずいたりすることによって、怪我をしていた。
【０００５】
ＩＶポールは通常、薬剤ポンプおよび患者と一緒にある他の電気装置を運ぶために使用されるので、いくつかのさらなる問題が生じていた。このような薬剤ポンプまたは装置の他の部分はそれぞれ、薬剤ポンプまたは装置の他の部分に電気を供給するために、従来の壁のコンセントに差し込まれ得る電源コードを備える。しかし、これらの電源コードは多くの場合、ＩＶポールが移動するか、またはＩＶポールの近くに患者が移動する間に、からまるか、他の物にひっかかる。いくつかの場合、このことは次に、患者をつまづかせ、そして、倒れさせるか、または、ＩＶポールを倒れさせ、場合によっては、患者に怪我および痛みを生じさせるか、または患者の輸液の危険な中断を生じる。これは、可撓性のある管が、過度にぴんと張り、そして、ＩＶ針が、患者から抜けるためか、または電源コードが、電源装置および／または壁にあるコンセントから抜けるためである。
【０００６】
さらに、より新しい薬剤ポンプおよび他の電気装置は、そのポンプまたは装置がしばらくの間作動することを可能にする内臓電池を有する場合もあるが、プラグを抜かれている間、多くのこのようなデバイスにおける電池は、電池に電力を供給された動作を非常に長い間は提供しない。以前のＩＶポールは、ＩＶポールによって運ばれる薬剤ポンプおよび他の電気装置の内部電池を補う任意のさらなる電池または他の補助的な電力供給源を備えていなかった。
【０００７】
さらに、従来のＩＶポールは代表的に、患者のための複数の薬剤バッグを取り付けるための複数のフックを備えていた。このようなＩＶポールに伴なうさらなる問題は、このフックが種々の向きに向いているので、このようなＩＶポールから吊るされた薬剤バッグが対応して種々の向きに向くことである。結果として、医療介護提供者が薬剤バッグのラベル（このラベルは、薬剤バッグ、特に多数の同時の輸液を必要とする患者の薬剤バッグの内容物を同定する）を見ることをより難しくする。さらに、ＩＶポールに吊るされた複数の薬剤バッグから延びる可撓性のある管の長さは、多くの場合、交差し、互いにからみ、それによりまた、管を薬剤バッグおよび患者に接続する場合、および／またはさらなる薬剤を可撓性のある管の中の入口を介して患者に注射する場合、医療介護提供者が、別の管から、ある長さの可撓性のある管を区別することがより厄介になる。さらに、以前のＩＶポール上のフックは、概して、均一な高さに取り付けられていた。しかし、患者に投与される種々の静脈内薬剤は、患者の処方に従って特定の流速で送達され得るように、種々の高さで吊るされていなければならない。薬剤バッグは多くの場合、伸長フックまたは他の装置を使用して以前のＩＶポールのフックから吊るされていなければならない。このことは、医療介護提供者にとって厄介であり、種々の静脈内薬剤の投与に間違いを起こす危険性を生じる。
【０００８】
前述のものに加えて、ＩＶ輸液を必要とする多くの患者はまた、尿道カテーテルまたは他のカテーテルを必要とし、それらのカテーテルにおいて、カテーテル（別の長さの可撓性のある管）は、患者とカテーテルバッグとの間に接続され、当然のことながらこのカテーテルバッグは、患者に近接して維持されなければならない。適切に機能させるために、このカテーテルバッグは、患者の骨盤より下に垂直な位置で配置されなければならない。以前のＩＶポールは、適切な操作を保証するために患者の骨盤より下に垂直な位置でカテーテルバッグを支持するための適切な手段を提供しなかった。
【発明の開示】
【課題を解決するための手段】
【０００９】
（要旨）
本発明は、以前のＩＶポールの上記の欠点の１つ以上を克服するＩＶポールに関する。
【００１０】
本発明の一局面に従って、ＩＶポールは、３個以上の車輪のセット（例えば、６個の車輪）が連結された、基部、上記基部に連結された下部および上記基部から離れている上部を有する、ポール、上記ポールの上部に近接する少なくとも一つの静脈内液体レザバ保持器、ならびに、上記ポールの下部と上部との間で、上記ポールに連結されたハンドルを備える。
【００１１】
本発明の別の局面に従って、ソケットは、上記ポールまたは上記ＩＶポールの基部に取り付けられ得、そして例えば、複数のコンセントを備え得る。一実施形態において、上記ソケットは、６連のプラグ線を備える。
【００１２】
本発明の別の局面に従って、ソケットを電源装置に電気的に連結するための格納式電源コードを備えるＩＶポールが提供され得る。好ましくは、この格納式電源コードは、自己巻取り電源コードを備える。
【００１３】
ＩＶポールの基部は、上記車輪を好ましくは実質的に覆う囲いを有し、好ましくはまた、その囲いの外周で囲いに固定された緩衝器を有する。一実施形態において、この緩衝器は、上記囲いの実質的に周囲全体に沿って延びる。
【００１４】
本発明のさらなる局面に従って、ハンドルは、上記ポールの少なくとも一部に沿って軸方向に移動可能であり、そして好ましくは、上記ポールに対して斜めに向いたリングを備える。蓄電ソケットは、必要に応じて上記リングに連結され得る。
【００１５】
本発明のなお別の局面に従って、上記ポールは、第１のアームおよび第２のアームを備え、これらのアームは、上記ＩＶポールの基部から実質的に垂直に上に延びる。上記第１のアームおよび第２のアームのそれぞれが、それぞれ複数のテレスコープ型管状部分を備え得る。例えば、上記第１のアームおよび第２のアームのそれぞれが、上記基部に固定された低部、中央部、および上部を備え得る。一実施形態において、上記第１のアームの最上部は、（例えば、固いＵ字型のポール部分によって、）上記第２のアームの最上部と相互に連結されている。上記第１のアームおよび第２のアームのそれぞれの中央部は、安定化棒を介して固く相互に連結され得、そしてこの安定化棒は、好ましくは、静脈内流体を運ぶのに使用される型の可撓性のある管を受容するような大きさにされた複数の経路設定チャネルを規定する。
【００１６】
本発明のなお別の局面に従って、付属品は、基部に近接するポールに連結され、その付属品は、牽引する連結部を受容するための孔を有し得るか、または上記ＩＶポールを牽引するための任意の他の適切な手段が提供され得る。
【００１７】
本発明のなお別の局面に従って、上記ＩＶポールはまた、カテーテルバッグを吊るすために、基部に近接するポールに連結されたハンガーを備え得る。一実施形態に従って、カテーテルバッグハンガーは、垂直位置でこのポールに連結され、カテーテルバッグが、カテーテルバッグハンガーの上に吊るされ、カテーテルによって患者のカテーテル部位に連結される場合、そのカテーテルバッグは、患者のカテーテル部位より下に垂直に配置される。
【発明を実施するための最良の形態】
【００１８】
（詳細な説明）
図１に示されるように、ＩＶポール３０は、３つ以上の車輪３４（その内の２つのみが、図１に示される視点において見えている）のセットを有する基部３２、基部３２に安全に連結され、基部３２からほぼ上向きに延びるポール３６、およびポール３６に連結されたハンドル３８を備える。図１に図示されるように、上記ポール３６は、２つの垂直アーム４０、４２を有する逆Ｕ字型の部材を備え得、これらのアームは、基部３２に安全に連結され、そこからほぼ上向きに延びる。
【００１９】
図１にまた図示されるように、ポール３６の最上部４４に、複数のフック４６、またはそれぞれ静脈内流体レザバ４８（例えば、ＩＶ薬剤バッグ）を保持するための任意の他の適切な手段が提供される。
【００２０】
安定化棒５０は、上記ポール３６の最上部４４に相対的に近くで第１のアーム４０と第２のアーム４２との間に横方向に延び、それら２つのアームを固定して相互に連結している。ノブ５２は、上記ポール３６の垂直方向の高さの調節のため、従って流体レザバ４８の高さの調節のために提供される。
【００２１】
さらに、ソケット５４は、上記基部３２に隣接して上記ポール３６に取り付けられ得る。例示した実施形態において、上記ソケット５４は、６連のプラグ片であるが、任意の他の適切なソケットが、例示した６連のプラグ片の代わりに提供され得るか、またはそれに加えて提供され得る。上記ソケット５４は、好ましくは、電力（例えば、従来の壁にあるコンセントから）を受容するための手段を備え、また電池５６から電力を受容し得、電池５６は、図１に図示した実施形態に示されるように、基部３２によって規定される空洞内で有利に受容され得る。
【００２２】
カラー５８は、ポール３６のアーム４２の周囲を取り囲み、アーム４２（またはアーム４０）に沿って、好ましくは基部３２に近接して軸方向に移動可能である。ノブ６０は、スライドするカラー５８を、アーム４２に沿って所定の垂直位置に固定するために提供される。さらなるフックまたは他のハンガーは、カテーテルバッグを吊るすために、基部に近接して、上記ポールに連結され得る。例示した実施形態において、上記フックまたはハンガー６２は、スライドするカラー５８から延び、よってカテーテルバッグは、例えば、上記ポール３６の下部６４に近接するフック６２の上に吊るされることが可能となる。上記フック６２または他のカテーテルバッグハンガーは、垂直な位置で上記ポールに連結されるべきであり、カテーテルバッグが、フック６２上に吊るされ、カテーテルを介して患者のカテーテル部位に連結される場合、そのカテーテルバッグは、カテーテル部位より下に垂直に配置される。
【００２３】
ＩＶポール３０を牽引するための手段もまた提供され得る。例えば、上記カラー５８は、さらに孔６６を規定し得、孔６６は、上記ＩＶポール３０を、車椅子または車輪のついた担架またはベッドにつなぐのに使用するためのカラビナ、フック、または任意の他の牽引継手を受容し得、よってＩＶポール３０は、例えば、乗り物によって輸送される患者と一緒に好都合に牽引され得るか、または、好都合に縦に並んで輸送され得るように、複数のＩＶポール３０を一緒につながれ得る。
【００２４】
本発明の原則に従うＩＶポールのさらなる特徴は、ここで、図２〜４と関連して記載される。図２および図３は、それぞれ、図１に示されるＩＶポール３０の正面図および側面図を図示し、それに対して図４は、図２の線４−４に沿って見られるＩＶポールの平面図を図示する。
【００２５】
図２に示されるように、上記ハンドル３８は、好ましくは、上記ポール３６に対して斜めに向いており、よって、例えば、図２に示されるように、上記ハンドル３８は、上記アーム４０より相対的に高い垂直な位置でアーム４２に沿って固定されるか、またはその逆も同様である。このことにより、ハンドル３８が、ＩＶポール３０の使用者に、ＩＶポール３０上に保持し、ＩＶポール３０を移動させるため、および使用者が、移動させる間、使用者のバランスを維持するための、高さが変えられる支持体を提供する。さらに、基部３２の上（従って地面の上）のハンドル３８の全体的な上昇は、種々の高さの使用者に対して調節され得る。
【００２６】
上記ハンドル３８の高さを容易に調節するために、ノブ７０または他の適切な手段が提供され得る。例示した実施形態において、上記ノブ７０は、ばねによって付勢されたくぎを備えてもよく、そのくぎは、ハンドル３８の高さを変動させるために、種々の垂直な位置で、上記ポール３６の右のアーム４２に形成された複数の孔内で受容され得る。あるいは、上記ノブ７０は、ねじを備えてもよく、そのねじは、そのような孔を貫き得るか、または、その代わりに、上記ノブ７０のねじを上記アーム４２それ自体に対して固定して締めることによって、上記ハンドル３８を所望の垂直な位置に保持し得る。当業者によって容易に理解されるように、上記ハンドル３８の高さの調節機能は、本発明の原則に従った任意の多数の他の方法で実施され得る。
【００２７】
図２にまた示されるように、上記ハンドル３６のアーム４０および４２は、複数の管状の部分（例えば、アーム４０の部分７２、７３、７４およびアーム４２の部分７６、７７、７８）で構成され得、これらの管状部分は、好ましくは、互いにテレスコープ型であり、上記ＩＶポール３０の全体の高さを調節することを可能にする。例示した実施形態において、ノブ８０および８２は、上記ＩＶポール３０の高さを容易に調節することを可能にするために、提供される。例えば、部分７７を所定の軸方向の関連で、部分７６と一緒に固定するため、および上記ＩＶポール３０の高さが変動され得るように、軸方向の関連の調節を可能にするための上記ノブ８０（例えば、上記ノブ７０と関連して上で記載される様式と類似した様式で操作し得る）が提供される。部分７７と部分７８との間の軸方向の関連の調節を可能にする類似するノブ８２によるさらなる調節機能が提供される。
【００２８】
例示した実施形態において、上記ポール３６の最上部４４は、固いＵ字型の構造であり、曲がった、上部の接続部分８４によって相互に連結している部分７４および７８を備え、よって、ノブ８２を介した部分７８と部分７７との間の軸方向の関連の調節が、部分７４と部分７３との間の軸方向の関連の対応する調節を引き起こす。同様に、上記ノブ８０を介したＩＶポール３０の高さの調節は、部分７７と部分７６との間の軸方向の関連の調節に対応する部分７３と部分７２との間の軸方向の関連における調節を引き起こす。すなわち、ポール部分７４、７８および７３、７７の対は、互いに対して一緒に、そして、基部３２に対して強固に固定されたポール部分７２、７６の最も低い対に対して一緒に移動する。
【００２９】
図５は、上記ハンドル３８に対する一つの例示的な構造をより詳細に図示する。図５に示されるように、上記ハンドル３８は、円周リング８６およびバスケット８８を備えてもよい。上記バスケット８８は、任意の所望の様式で、上記円周リング８６に固定され得る。好ましくは、上記バスケット８８は、プラスチックから構成されてもよく、そして、単一の一体の部分として、真空成形され得る。上記バスケット８８は、必要に応じて鋼を用いて強化され、増強した強度を提供し得る。上記バスケット８８は、示されるように、スリーブ９０、９２を備え、これらのスリーブは、それぞれ、アーム４０、４２に沿って上および下に軸方向に移動し得る。上記バスケット８８の垂直位置を調節するため、従って上記のようにハンドル３８を調節するための手段（例えば、図２と関連して上に記載されるノブ７０）を備える上記スリーブ９２が提供される。
【００３０】
好ましくはまた図５に示されるように、上記バスケット８８は、円周リング８６上のいくつかの利用可能なハンドル位置を規定し、この位置で、使用者は、ハンドル３８を握って、ＩＶポール３０を移動させることができ、そして、そのようにしている間の使用者のバランスを維持することができる。上記ハンドルはまた、蓄電ソケットを備えてもよく、これは、上記リングに連結され得る。例えば、上記バスケット８８は、上記ＩＶポール３０を引くか、または押している間、小さい部材を運ぶために、ＩＶポール３０の使用者によって使用され得る中央保管トレイ８９を規定し得る。
【００３１】
図６は、基部３８に対する一つの例示的な構造をより詳細に図示する。示されるように、上記基部３８は、スカート９４を備えてもよく、このスカート９４は、上記車輪３４のセットの円周を取り囲み、上記ポール３６の部分７２、７６に固定して連結される。さらに、緩衝器９６は、好ましくはゴムからなり、スカート９４の周囲に円周に延び、基部３８と、壁、足および他の障害物との任意の不注意の衝撃を和らげる。また示されるように、上記基部は、中央空洞９８を規定し、これは、好ましくは、電池５６または上記の他の適切な予備の電源装置を受容するような大きさにされている。好ましくは、例示した実施形態におけるように、上記基部は、以前のＩＶポールの基部のより複雑な表面の輪郭とは違って、単一の表面を備えるので、容易に清潔にすることが可能である。
【００３２】
また図６に図示されるように、上記ソケット５４は、好ましくは６連のプラグ片を備え、このプラグ片は、好ましくは、上記ポール３６に固定されるので、その上にある上記コンセント１００は、ＩＶポール３０の使用者によって容易にアクセス可能である。さらに、上記ソケット５４は、好ましくは、自己巻取り電源コード９９または他の格納式電源コード９９を備え、この電源コードは、十分に延び、好ましくは、少なくとも５フィートの
長さである。
【００３３】
図７、８および９は、上記ポール３６の最上部４４の種々の見方を図示する。上記のように、最上部４４は、好ましくは、曲がった上部の接続部分８４によって相互に連結している管状部分７４および７８を備える逆Ｕ字型の棒を備える。また示されるように、複数のフック４６は、上記曲がった上部の接続部分８４に沿って固定され得、互いに間隔をあけて、好ましくは互いに平行な向きにされる（図９に最も良く示されるように）ので、静脈内流体レザバ（例えば、薬剤バッグ４８）は、フックまたは保持器４６から吊るされ、互いに一列に並べられ得る。このようにして、ＩＶポールの使用者または上記使用者に静脈内流体を投与する医療専門家は、それぞれの静脈内流体レザバ上のラベルを容易に見ることができる。このフックまたは保持器４６の対応する整列による薬剤バッグ４８の整列は、患者に薬剤を投与する仕事を簡略化し、そして、医療専門家が薬剤バッグ４８の内容物を同定するラベルを見るために、手で薬剤バッグ４８を動かす必要性を取り除く。
【００３４】
さらに、上記フック４６は、上記逆Ｕ字型棒の曲がった上部接続部分８４の幅にわたって種々の位置で取り付けられるので、種々のフック４６の高さは、垂直にずらされ、それにより、患者に投与されるべき種々の静脈内薬剤が、その薬剤が患者に投与されるべき流速に依存してより高いフック４６またはより低いフック４６から吊るされ得る。従って、上記フック４６は、上記薬剤バッグ４８を並べるのに役立ち、また、それらをずらした高さで吊るすことを可能にするので、種々の静脈内輸液が、厄介な延長または「ピギーバック」型フックを全く必要とすることなく同時に行なわれ得る。この設計はさらに、各薬剤バッグ４８が、そのそれぞれのフック４６から吊るされ得、そして２つの薬剤バッグ４８が、連結される必要もなく、ピギーバックにより一緒にされる必要もないので、全ての薬剤バッグ４８のラベルを同時に見ることを容易にする。
【００３５】
同様に、図１０、１１および１２は、上記ポール部分７３、７７およびそれに相互接続する安定化棒５０をより詳細に描く。好ましくは、上記部分７３および７７は、上記安定化棒５０によって実質的に一緒に固定して連結されるので、例えば、部分７７の部分７６に対する動きは、上記のように、対応する部分７３の部分７２に対する動きを生じさせる。
【００３６】
図１２は、図１０に示す構造の平面図を示し、特に、安定化棒５０の特徴を図示する。示されるように、相互接続する管状部分７３および７７に加えて、上記安定化棒５０は、複数の経路設定チャネル１０２を規定するために共有され得、この経路設定チャネル１０２は、上記フック４６から吊るされた薬剤バッグ４８から患者に静脈内流体を送達するために使用される可撓性のある管の経路を設定し、可撓性のある管の長さを配置するために使用され得る。従って、上記安定化棒５０の中の上記経路設定チャネル１０２は、上記薬剤バッグ４８から延びる、種々の長さの可撓性のある管のもつれを減少させるのを助ける。
【００３７】
図２に示されるように、従来の電子薬剤ポンプ１０４は、図２に示されるように、上記ポール３６に取り付けられ得、そして可撓性のある管は、薬剤バッグ４８から上記安定化棒５０中の経路設定チャネル１０２を通って上記薬剤ポンプ１０４に経路を決められ得、これは、順に、流体を上記薬剤バッグ４８から可撓性のある管のさらなる長さを通って上記患者に汲み上げる。当業者に明らかであるように、さらなる薬剤バッグ４８および電子薬剤ポンプ１０４は、任意の特定の患者の医療上の必要性に従って、上記ＩＶポール３０に固定され得る。上記ＩＶポール３０の利点は、上記ポール３６の２つのアーム４０、４２が、以前の単一のアームのＩＶポールより多くの薬剤ポンプ１０４および他の装置を合わせ得ることである。上記ポール３６の２つのアームの設計はまた、ＩＶポール３０上に、例えば、呼吸のために補助的な酸素を必要とし得る患者と一緒に運ばれるべき複数の圧縮ガス密閉容器のための空間を提供する。
【００３８】
さらに、尿道カテーテルまたは他のカテーテルを必要とする患者のために、患者からのカテーテルは、カテーテルバッグ１０６に接続され得（図２）、そのカテーテルバッグは、一般的には上記患者の骨盤より下で、上記ポール３６に垂直な位置で上記フック６２から吊るされ得る。それぞれの電子薬剤ポンプ１０４は、好都合に上記ソケット５４に接続され得、そして、その自己巻取りコード９９またはその格納式コード９９は、次いで、壁にあるコンセントに接続され、全ての薬剤ポンプに好都合に電力を供給する。結果として、薬剤ポンプに電力を供給するために一つのコードのみが接続されなければならず、ＩＶポール３０から延びる一つのコード（すなわち、自己巻取り電源コード９９または格納式電源コード９９）のみが壁にあるコンセントに接続されなければならない。
【００３９】
前述の記載は、当業者に本発明を実施する最良の形態を教示する目的のためのものであり、例示のみのためのものであると解釈されるべきである。本発明の多数の改変および代替的な実施形態が、本明細書を考慮すると当業者に明らかになり、開示された構造の詳細は、本発明の精神を逸脱することなく実質的に変えられ得る。従って、添付の特許請求の範囲の範囲内である全ての改変の排他的な使用が、保護される。
【図面の簡単な説明】
【００４０】
【図１】図１は、本発明に従ったＩＶポールの一つの例示的な実施形態を示す。
【図２】図２は、本発明に従ったＩＶポールの一つの例示的な実施形態の正面図である。
【図３】図３は、図２の中の線３−３に沿って見た図２のＩＶポールの側面図である。
【図４】図４は、図２の中の線４−４に沿って見た図２のＩＶポールの平面図である。
【図５】図５は、本発明に従ったＩＶポールと一緒に使用するための調節され得るハンドルの一つの例示的な実施形態を示す。
【図６】図６は、本発明に従ったＩＶポールと一緒に使用するための一体化した基部の一つの例示的な実施形態を示す。
【図７】図７は、本発明に従ったＩＶポールの一つの例示的な実施形態の上部の断片的な正面図である。
【図８】図８は、図７の中の線８−８に沿って見た図７に示される断片的な部分の断片的な側面図である。
【図９】図９は、図７の中の線９−９に沿って見た図７に示される断片的な部分の平面図である。
【図１０】図１０は、本発明に従った安定化棒を備えるＩＶポールの一部の断片的な正面図である。
【図１１】図１１は、図１０の中の線１１−１１に沿って見た図１０に示される断片的な部分の側面図である。
【図１２】図１２は、図１０の中の線１２−１２に沿って見た図１０に示される断片的な部分に含まれる安定化棒の平面図である。
【図１】
2007512927.tif 000003
【図２】
2007512927.tif 000004
【図３】
2007512927.tif 000005
【図４】
2007512927.tif 000006
【図５】
2007512927.tif 000007
【図６】
2007512927.tif 000008
【図７】
2007512927.tif 000009
【図８】
2007512927.tif 000010
【図９】
2007512927.tif 000011
【国際調査報告】
2007512927.tif 000012
2007512927.tif 000013
2007512927.tif 000014